(57)【要約】【課題】高濃度蔗糖液糖において蔗糖の結晶析出を抑制し、かつ微生物等の繁殖を阻止した高濃度蔗糖液糖の製造方法を提供する。【解決手段】２０〜２７重量％の水分と蔗糖を含む固形分とからなる高濃度蔗糖液糖の製造方法において、蔗糖含有溶液に、固形分中の含有量が１０〜２０重量％となるようにフラクトオリゴ糖を含有させる。フラクトオリゴ糖は、原料粗糖を洗糖して溶解したのち、炭酸飽充させて精製したブラウンリカーに添加して含有させる。または、原料粗糖を洗糖して溶解したのち、炭酸飽充させて精製したブラウンリカーを原料としてフラクトシルトランスフェラーゼを含有する酵素剤を含有させて生成する。【選択図】  図２
2010213580.tif 000002
【特許請求の範囲】
【請求項１】
２０〜２７重量％の水分と蔗糖を含む固形分とからなる高濃度蔗糖液糖の製造方法において、
蔗糖含有溶液に、上記固形分中の含有量が１０〜２０重量％となるようにフラクトオリゴ糖を含有させる高濃度蔗糖液糖の製造方法。
【請求項２】
水分を２５〜２７重量％含有し、上記フラクトオリゴ糖を上記固形分中の含有量が１３〜２０重量％となるように含有させる請求項１記載の高濃度蔗糖液糖の製造方法
【請求項３】
原料粗糖を洗糖して溶解したのち、炭酸飽充させて精製したブラウンリカーに、上記フラクトオリゴ糖を添加して含有させる請求項１又は２記載の高濃度蔗糖液糖の製造方法。
【請求項４】
上記フラクトオリゴ糖は、原料粗糖を洗糖して溶解したのち、炭酸飽充させて精製したブラウンリカーに、フラクトシルトランスフェラーゼを含有する酵素剤を含有させて生成する請求項１又は２記載の高濃度蔗糖液糖の製造方法。
【請求項５】
２０〜２７重量％の水分と蔗糖を含む固形分とからなる高濃度蔗糖液糖において、
上記固形分中の含有量が１０〜２０重量％であるフラクトオリゴ糖を含有してなる蔗糖液糖。
【請求項６】
水分を２５〜２７重量％含有し、上記フラクトオリゴ糖の上記固形分中の含有量が１３〜２０重量％である請求項５記載の蔗糖液糖。
【請求項７】
２０〜２７重量％の水分と蔗糖を含む固形分とからなる高濃度蔗糖液糖の結晶析出抑制方法において、
蔗糖含有溶液に、上記固形分中の含有量が１０〜２０重量％となるようにフラクトオリゴ糖を含有させる高濃度蔗糖液糖の結晶析出抑制方法。
【発明の詳細な説明】
【技術分野】
【０００１】
本発明は、蔗糖結晶の析出を抑制した高濃度蔗糖液糖の製造方法及びその製造方法で製造された高濃度蔗糖液糖、並びに高濃度蔗糖液糖の結晶析出抑制方法に関する。
【背景技術】
【０００２】
蔗糖やブドウ糖等の糖類は、多種多様な食品を製造する上において欠かせない成分であり、その糖の種類も多岐に及び、結晶状、液状、粉末状等の様々な形態で使用されている。特に近年では、使用上の利便性に優れている点から、液状に調製された糖類、いわゆる液糖が用いられるようになっている。
【０００３】
この液糖は、流動性に優れており、それ自体を例えばシロップ等の食品として利用したり、または多種多様な食品へ甘味付与の目的のために広く利用されている。液糖のこの高い利便性から、現在様々な液糖の精製方法等が提案されている（特許文献１及び２参照）。
【０００４】
しかしながら、この蔗糖等を含有した液糖は、長期間の保存や常温下で保存しておくことによって、蔗糖の結晶が析出してしまうという問題がある。そして、その結晶析出は、液糖に含有される蔗糖濃度が大きければ大きいほど顕著になり、具体的にＢｘ６７以上では、顕著に結晶が析出することが知られている。
【０００５】
現在製造販売されている高濃度液糖として、マルトースを高濃度に含有させた、Ｂｘ７０程度のマルトースシロップ（マルトース７５重量％含有）があるが、これに含有されるマルトースはでんぷんを原料として生成されるものであり、蔗糖からなる液糖に比べて甘味や風味等の点において劣ってしまう。
【０００６】
したがって、でんぷん等から生成される糖を含有するものではなく、蔗糖を高濃度に含有させた高濃度蔗糖液糖が望まれるが、上述した結晶析出の問題が存在するため、現在業務用として使用されている蔗糖液糖は、Ｂｘ６７〜６８であり、それ以上の高濃度蔗糖液糖は利用されるに至っていない。
【０００７】
一方でまた、Ｂｘ６７〜６８、又はそれ以下の濃度の蔗糖液糖では、含有される水分の比率が大きくなってしまうため、微生物等が繁殖し易くなり、品質が劣化する可能性もあり、一般消費者用として商品化されてはいない。
【０００８】
これらの液糖が有する欠点は、上述のように高い利便性を備えた液糖が多種多様な食品に利用されるようになった現状において、さらに高濃度の液糖を、手軽にかつ衛生的に利用していく上で大きな問題となっている。
【先行技術文献】
【特許文献】
【０００９】
【特許文献１】特開２００５−０８７１４１号公報
【特許文献２】特開２００５−２９５９１６号公報
【発明の概要】
【発明が解決しようとする課題】
【００１０】
そこで、本発明は、このような実情に鑑みて提案されたものであり、高濃度蔗糖液糖において蔗糖の結晶析出を抑制し、微生物等の繁殖を阻止する高濃度蔗糖液糖の製造方法及びその高濃度蔗糖液糖、並びに高濃度蔗糖液糖の結晶析出抑制方法を提供することを目的とする。
【課題を解決するための手段】
【００１１】
本発明は、上述した問題に対して鋭意検討を重ねた結果、高濃度蔗糖液糖に、所定量のフラクトオリゴ糖を含有させることで、蔗糖結晶の析出を抑制するとともに、微生物の繁殖も阻止できるという知見に基づくものである。
【００１２】
すなわち、本発明に係る高濃度蔗糖の製造方法は、２０〜２７重量％の水分と蔗糖を含む固形分とからなる高濃度蔗糖液糖の製造方法において、固形分中の含有量が１０〜２０重量％となるようにフラクトオリゴ糖を含有させる。この製造方法によって製造される高濃度蔗糖液糖は、２０〜２７重量％の水分と蔗糖を含む固形分とからなる高濃度蔗糖液糖であって、固形分中の含有量が１０〜２０重量％であるフラクトオリゴ糖を含有してなる。
【００１３】
好ましくは、水分を２５〜２７重量％含有し、フラクトオリゴ糖を固形分中の含有量が１３〜２０重量％となるように含有させる。
【００１４】
また、本発明に係る高濃度蔗糖液糖の結晶析出抑制方法は、２０〜２７重量％の水分と蔗糖を含む固形分とからなる高濃度蔗糖液糖の結晶析出抑制方法であり、固形分中の含有量が１０〜２０重量％となるようにフラクトオリゴ糖を含有させる。
【発明の効果】
【００１５】
本発明によれば、蔗糖結晶の析出を抑制でき、微生物の繁殖を阻止することが可能な高濃度蔗糖液糖を製造することができる。
【図面の簡単な説明】
【００１６】
【図１】微生物の繁殖や酵素活性に必要な水分量を示す水分活性（Ａｗ）に関して説明する図である。
【図２】高濃度蔗糖液糖の製造方法に関する第１の製造工程例を示す工程図である。
【図３】高濃度蔗糖液糖の製造方法に関する第２の製造工程例を示す工程図である。
【発明を実施するための形態】
【００１７】
以下、本発明に係る高濃度蔗糖の製造方法の具体的な実施の形態について、図面を参照しながら詳細に説明する。
【００１８】
本実施の形態に係る高濃度蔗糖の製造方法は、２０〜２７重量％の水分と蔗糖を含む固形分とからなる蔗糖液糖の製造方法であって、蔗糖含有溶液に、固形分中における含有量が所定量となるようにフラクトオリゴ糖を含有させるものである。
【００１９】
この製造方法において製造される蔗糖液糖は、蔗糖液糖全体の２０〜２７重量％の割合で水分を含有するものであり、したがって液糖中における固形分を７３重量％以上含有した高濃度蔗糖液糖である。
【００２０】
より好ましくは、水分を２５〜２７重量％含有させ、フラクトオリゴ糖を固形分中の含有量が１３〜２０重量％となるように含有させる。なお、ここで用いる固形分とは、水分以外の高濃度蔗糖液糖組成物を意味し、高濃度蔗糖液糖を乾燥固化した場合に得られる高濃度蔗糖液糖組成物の重量をいう。
【００２１】
ここで、フラクトオリゴ糖とは、スクロース（蔗糖）にフラクトース分子が１分子以上結合した少糖類であり、３〜５糖類が主成分となっている。具体的に、例えばフラクトオリゴ糖中の３糖類とはＧｌｕ−Ｆｒｕ−Ｆｒｕ（１−ケストース）であり、４糖類とはＧｌｕ−Ｆｒｕ−Ｆｒｕ−Ｆｒｕ（ニストース）であり、５糖類とはＧｌｕ−Ｆｒｕ−Ｆｒｕ−Ｆｒｕ−Ｆｒｕ（１−フラクトシルニストース）である。なお、Ｇｌｕはグルコース、Ｆｒｕがフルクト−スを表す。
【００２２】
このフラクトオリゴ糖は、蜂蜜、アスパラガス、玉葱、ジャガイモ等の多数の植物に含まれており、オリゴ糖と共に、例えば低カロリーの糖質であり、乳酸菌やビフィズス菌の増殖促進作用や、腸内の微生物群の促進作用、病原菌の抑制作用、及び免疫性の強化等の優れた機能を有することが知られている。また、フラクトオリゴ糖は、難う蝕性で、しかも生体内の消化酵素では消化されない難消化性糖であることから腸活動の促進作用を有し、さらに摂取してもインスリン分泌を刺激しせず血糖値に影響が出ないことから糖尿病患者用治療食として用いられている。これらの性質は、単糖類やスクロースには認められないものである。
【００２３】
また、フラクトオリゴ糖は、水溶液としたスクロース（蔗糖）に、例えばオウレオバシディウム属（Aureobacidium・sp）やアスペルギルス属（Aspergillus・sp）等の菌体から産生される既存のフラクトシルトランスフェラーゼを作用させることにより製造される。または、水溶液としたスクロースに、これらの微生物を混ぜることによりフラクトシルトランスフェラーゼを基質であるスクロースと反応させることにより製造される。このように、スクロース溶液にフラクトシルトランスフェラーゼを作用させることにより、基質であるスクロースを構成するフラクトースにフラクトースがβ−１，２結合したイヌリン型のフラクトオリゴ糖を生成する。
【００２４】
本実施の形態に係る高濃度蔗糖液糖の製造方法においては、２０〜２７質量％の水分を含有した高濃度蔗糖液糖における固形分中の含有量として１０〜２０重量％となるように、蔗糖含有溶液にフラクトオリゴ糖を含有させる。より好ましくは、水分を２５〜２７重量％含有した高濃度蔗糖液糖の製造において、フラクトオリゴ糖を固形分中の含有量として１３〜２０重量％となるように含有させる。
【００２５】
このように、固形分中におけるフラクトオリゴ糖の含有量を１０重量％以上とすることにより、高濃度に含有された蔗糖の結晶が析出することを有効に抑制した高濃度蔗糖液糖を製造することができ、含有量を２０重量％以下とすることにより、蔗糖本来の甘味や風味を損なわない高濃度蔗糖液糖を製造することができる。
【００２６】
また、蔗糖の結晶析出を抑制した高濃度の蔗糖液糖を製造が可能となることから、食品等に利用したり、医療用として用いたりと様々な用途で利用することができる。また、当該蔗糖液糖に含有される水分が２７重量％以下であるので、有意に微生物の繁殖を阻止することができ、常温下において良質な状態で保存することができる。
【００２７】
さらに、含有させるフラクトオリゴ糖は、上述のように、蔗糖（スクロース）を基質として酵素を作用させることによって生成される少糖類であるので、蔗糖液糖の本来の風味や甘味等を損なわせることなく、良質な高濃度蔗糖を製造することができる。また、フラクトオリゴ糖は、上述のように、蔗糖にはない多種多様の性質を有していることから、本実施の形態に係る高濃度蔗糖液糖の製造方法にて製造された蔗糖液糖を用いることにより、腸活動の促進作用や免疫強化作用等の、蔗糖にはない性質を享受することができる。
【００２８】
本実施の形態に係る高濃度蔗糖液糖の製造方法においては、蔗糖液糖の製造工程における炭酸飽充工程を経て精製したブラウンリカーに、固形分中におけるフラクトオリゴ糖の含有量が１０〜２０重量％となるようにフラクトオリゴ糖を添加して含有させる。なお、上述のように、フラクトシルトランスフェラーゼを含有する酵素剤を作用させることによってフラクトオリゴ糖を生成して含有させるようにしてもよい。すなわち、蔗糖液糖の製造工程において、原料粗糖を洗糖して溶解したのち、炭酸飽充して精製したブラウンリカーを原料として、フラクトシルトランスフェラーゼを含有する酵素剤を作用させ、ブラウンリカーに含有する蔗糖の一部をフラクトオリゴ糖とすることによって、固形分中におけるフラクトオリゴ糖の含有量が１０〜２０重量％となるようにしてもよい。
【００２９】
添加するフラクトオリゴ糖は、特に限られるものではなく、一般的に入手可能な市販されているフラクトオリゴ糖を用いることができる。例えば、日本オリゴ株式会社製の日本オリゴのフラクトオリゴ糖、明治製菓株式会社製のＭＳメイオリゴ、株式会社日健総本社製のゴーサインスティック等が例示できる。
【００３０】
また、添加するフラクトオリゴ糖は、別途、蔗糖溶液にフラクトシルトランスフェラーゼを作用させて生成したものを用いてもよい。生成方法としては、例えばバッチ式方法や固定連続式方法等で生成することができる。具体的に、バッチ式方法においては、フラトシルトランスファラーゼを産生する微生物を蔗糖（スクロース）溶液に混ぜ、フラトシルトランスファラーゼを基質であるスクロース溶液と反応させることにより、フラクトオリゴ糖を得ることができる。一方、固定連続式方法においては、微生物又は酵素がキャリア（基材）に固定されており、基質であるスクロースを基材と接触させて微生物又は酵素と反応させることによって、フラクトオリゴ糖を得ることができる。これらの方式を用いた生成方法における反応条件としては、特に限定されないが、例えば１５０〜２５０℃の温度条件下で、加水分解する。
【００３１】
このように、高濃度蔗糖液糖の製造方法は、蔗糖液糖の製造方法の一工程において、フラクトオリゴ糖を添加、またはフラクトシルトランスフェラーゼを作用させることでフラクトオリゴ糖を生成して含有させるようにしている。これにより、特別な製造装置等を用意することなく、容易な処理によって、上述したような、蔗糖結晶の析出を抑制するとともに、微生物の繁殖を阻止でき、常温下において安定的に保存可能な高濃度蔗糖糖液を製造できる。
【００３２】
以下、さらに詳細に本実施の形態に係る蔗糖液糖の製造方法について説明する。
【００３３】
＜高濃度蔗糖液糖の水分量及び微生物繁殖の水分活性＞
詳細な説明に先立ち、先ず蔗糖液糖における水分量と微生物繁殖との関係について説明する。本実施の形態に係る蔗糖液糖の製造方法においては、蔗糖液糖に含有する水分量を２０〜２７重量％とする。水分量が２０重量％未満では蔗糖液糖の製造が困難となることから、水分量を２０重量％以上とすることによって容易に蔗糖液糖を製造することを可能にしている。一方で、水分量を２７重量％以下とすることによって、下記のように微生物の繁殖を有効に阻止するようにしている。
【００３４】
下記の図１は、微生物の繁殖や酵素活性に必要な水分量を示す水分活性（Ａｗ）について示すものである。
【００３５】
図１に示されるように、一般細菌ではＡｗ値で約０．９１以上、一般酵母では約０．８８以上の水分活性を示す水分環境下において繁殖でき、また酵素活性を示すことがわかる。一方、一般カビの場合では、Ａｗ値で０．８０以上という、一般細菌や一般酵母に比して水分活性の低い水分環境下においても繁殖可能で、また酵素活性を示すことがわかる（社団法人菓子総合技術センター、菓子用新素材 Ｎｏ７；１９（１９８７）参照）。
【００３６】
蔗糖の６７．４重量％の飽和溶液（なお、水分量としては約２５重量％含有）の場合には、Ａｗ値として０．８５程度であり、この蔗糖液糖では一般細菌や一般酵母の繁殖は阻止することは可能であっても、一般カビが繁殖する可能性がある。
【００３７】
これまでは、蔗糖液糖の製造過程において、これらの微生物の繁殖及び液糖の腐敗を防止するために、貯蔵タンク内を常に清潔に洗浄したり、貯蔵中に流入する空気の清浄化を図るとともに、貯蔵タンク内部、または貯蔵タンクから外部循環パイプの間で液糖を常時循環させながら、紫外線殺菌灯で紫外線を蔗糖液糖に照射して微生物の繁殖を防止する方法が採用されている。しかしながら、この処理だけでは紫外線透過率等の関係により十分に微生物の繁殖を阻止することはできなかった。
【００３８】
そこで、本実施の形態においては、水分量が２７重量％以下となるように蔗糖液糖を製造するようにしている。一般的に、高濃度蔗糖液糖における水分含有量が２７重量％以下の場合、水分活性値はＡｗ０．８０より低く、Ａｗ０．７９程度以下となることから、当該環境下においては一般カビを含めた微生物の繁殖は抑えられ、酵素活性もなくなる。そして、例えば水分含有量を２５重量％とするなど、水分含有量をさらに少なくすることによって水分活性値もさらに低下し、微生物の繁殖をより効果的に抑制することができる。本実施の形態に係る高濃度蔗糖液糖の製造方法では、このように蔗糖液糖中の水分量を２７重量％以下とすることにより、微生物の繁殖を有効に阻止するとともに蔗糖液糖の腐敗防止した高濃度の蔗糖液糖を製造するようにしている。
【００３９】
微生物の繁殖を防止するとともに高濃度の蔗糖液糖を製造するという観点から、水分含有量を２７重量％以下として、蔗糖液糖に含有される蔗糖を含む固形分の濃度を７３重量％以上とした場合、含有される蔗糖の結晶が析出するという問題がある。しかしながら、本実施の形態に係る高濃度蔗糖液糖の製造方法においては、フラクトオリゴ糖を固形分中の含有量で１０〜２０重量％となるように含有させる。これにより、蔗糖液糖の水分活性を抑えて微生物の繁殖を阻止するとともに、蔗糖結晶の析出を抑えて、高濃度の蔗糖液糖を製造することができる。
【００４０】
＜高濃度蔗糖液糖の製造＞
本実施の形態に係る高濃度蔗糖の製造方法は、２０〜２７重量％の水分と蔗糖を含む固形分とからなる蔗糖液糖の製造方法であって、蔗糖含有溶液に、固形分中における含有量が１０〜２０重量％となるようにフラクトオリゴ糖を含有させる。
【００４１】
高濃度の蔗糖を含む溶液の溶媒は、好ましくは水であるが、エチルアルコール、グリセリン、プロピレングリコール等を使用することもできる。また、本実施の形態における効果を妨げない範囲において、その他の食品添加物を添加してもよい。具体的には、香料類や、β−−カロチン、アナトー色素、紫トウモロコシ色素等の着色料、カラシ抽出物、ワサビ抽出物、コウジ酸等の食品保存剤、蛋白抽出物、ポリリジン、ソルビン酸等の保存料、ケルセチン、酵素処理イソクエルシトリン、酵素処理ルチン等の酸化防止剤、カラギナン、キサンタンガム、トラガントガム、ペクチン、グルコマンナン、生澱粉、加工澱粉、ヘミセルロース、水溶性大豆多糖類、微結晶セルロース、発酵セルロース、微小繊維状セルロース、メチルセルロース、エチルメチルセルロース、アラビアガム等の増粘剤・ゲル化剤、アスパルテーム、スクラロース、カンゾウ抽出物（グリチルリチン）、アセスルファムカリウム、アリテーム、ネオテーム、ソーマチン、サッカリン、サッカリンナトリウム、サッカリンカルシウム、ステビア抽出物、ステビア末等の高甘味度甘味料、クエン酸、フマル酸、コハク酸等のｐＨ調整剤、その他エキス、ビタミン・ミネラル類等を例示することができる。
【００４２】
この高濃度蔗糖液糖は、一般的な原料糖を用いた製造過程における蔗糖含有溶液にフラクトオリゴ糖を添加させることによって製造することができる。より具体的には、蔗糖液糖の製造工程における炭酸飽充工程を経て精製したブラウンリカーに、フラクトオリゴ糖を固形分中の含有量として１０〜２０重量％となるように含有させる。
【００４３】
なお、フラクトオリゴ糖は、フラクトシルトランスフェラーゼを含有する酵素剤を作用させることによって生成するようにしてもよい。すなわち、蔗糖液糖の製造工程において、原料粗糖を洗糖して溶解したのち、炭酸飽充させて精製したブラウンリカーを原料として、フラクトシルトランスフェラーゼを含有する酵素剤を作用させて、ブラウンリカーに含有される蔗糖の一部をフラクトオリゴ糖としてもよい。この場合においても、フラクトオリゴ糖を生成する菌体から産出される酵素剤を用いることができる。
【００４４】
このように、蔗糖液糖の製造工程における炭酸飽充工程を経て精製されたブラウンリカーにフラクトオリゴ糖を所定量含有させたり、フラクトシルトランスフェラーゼを含有する酵素剤を作用させることによってフラクトオリゴ糖を生成して含有させるという簡易な工程で、高濃度に含有させた蔗糖の結晶析出を有効に抑制することができるとともに、蔗糖液糖の風味や甘味等を変化させることのない高濃度蔗糖液糖を製造することができる。
【００４５】
また、蔗糖液糖の製造工程における炭酸飽充工程を経て精製されたブラウンリカーに対し、フラクトオリゴ糖を添加、またはフラクトシルトランスフェラーゼを含有する酵素剤を作用させることによって、高濃度蔗糖液の原料であるサトウキビのコクや風味を残した、良質な蔗糖液糖を製造することができる。また、ブラウンリカーは、完全精製前の糖液であるため、結晶蔗糖や液糖の最終精製糖液であるファインリカーと比較して、ミネラル成分等がより多く含有されている。このことから、例えばブラウンリカーに対してフラクトシルトランスフェラーゼを含有する酵素剤を作用させることで、ミネラル成分を多く含んだフラクトオリゴ糖が生成され、ミネラル成分の豊富な高濃度蔗糖液糖を製造することができる。さらに、ブラウンリカーは、製造工程におけるエネルギー使用量が少ないことから、そのブラウンリカーに対して上述した処理を施すことにより、製造エネルギーを削減することができるとともに、炭酸ガスの削減も可能となる。
【００４６】
図２は、本実施の形態に係る高濃度蔗糖液糖の製造に関する第１の製造工程例を示す工程図である。なお、この製造工程においては、Ｂｘ７５の高濃度蔗糖液糖を製造する流れを示す。ここで、Ｂｘとは、屈折糖質計を用いて測定したブリックス％であり、蔗糖液糖中の固形分の百分率を示す指標となるものである。
【００４７】
先ず、原糖倉庫より運ばれた原料糖を洗糖する（１−１）。製造する蔗糖液糖の原料として、原料糖である蔗糖６３重量％と溶媒である水３７重量％を主体とする。この洗糖工程では、原料糖に一定比率の洗糖蜜が加えられ、加熱しながら混練することによって原料糖を半流動性の混和物とし、この混合物を混和加熱しながら遠心分離機によって結晶（洗糖）と蜜とに分離する。この洗糖工程によって、原料糖結晶の表面に付着している不純物（色素物質・無機塩類等）を取り除く。その後、洗糖に温水または甘水を加えて完全に溶解させることによって、ローリカーを精製する。
【００４８】
ローリカーを精製すると、次に、一定比率の石灰乳を連続添加して、炭酸飽充層に送り込み、炭酸ガスを吹き込んで炭酸カルシウムを生成させる（１−２）。この炭酸飽充工程では、ローリカー中に含まれている色素物質及び無機塩類等を除去し易くするために炭酸カルシウムに包含させる。そして、この炭酸飽充工程により不純物を除去し、濾過することによって、Ｂｘ６３のブラウンリカーを精製する。
【００４９】
このようにしてブラウンリカーを精製すると、エバポレータを用いて精製したブラウンリカーを濃縮する（１−３）。この濃縮工程において、蔗糖の含有比率を増加させてＢｘ７５のブラウンリカーとする。すなわち、蔗糖７５重量％、水２５重量％含有するブラウンリカーとなる。
【００５０】
本実施の形態に係る高濃度蔗糖の製造方法では、このようにして精製したＢｘ７５のブラウンリカーに対してフラクトオリゴ糖を添加する。このフラクトオリゴ糖はＢｘ７５であり、水２５重量％、固形分７５重量％含有させたＢｘ７５のブラウンリカーにおいて、固形分中の含有量として１０〜２０重量％となるように添加する。添加するフラクトオリゴ糖は、特に限定されるものではなく、一般的に入手可能なフラクトオリゴ糖を用いることができる。
【００５１】
本実施の形態に係る高濃度蔗糖液糖の製造方法は、以上のようにしてブラウンリカーに対してフラクトオリゴ糖を添加して、高濃度蔗糖液糖を精製する。なお、図示しないが、精製された高濃度蔗糖液糖は、例えば９８℃の温度条件で５分間の加熱殺菌処理を行い、濾過した後に約６０℃まで冷却して充填する。
【００５２】
なお、この製造工程においても、定法に従い、貯蔵タンク内を常に清潔に洗浄し、貯蔵中に流入する空気の清浄化を図るとともに、貯蔵タンク内部、または貯蔵タンクから外部循環パイプの間で液糖を常時循環させながら、紫外線殺菌灯で紫外線を液糖に照射して微生物の繁殖を防止する処理を行う。
【００５３】
またなお、この第１の製造工程例においては、濃縮工程（１−３）にて濃縮したブラウンリカーにグラニュ糖等を混合して溶解し、濃度を調整する混合溶解工程を経るようにしてもよい。具体的に、上述の製造工程において、炭酸飽充工程（１−２）で精製されたブラウンリカーを、濃縮工程（１−３）にてエバポレータを用いて、例えばＢｘ７０（蔗糖７０重量％、水３０重量％含有）に濃縮する。そして、濃縮したブラウンリカー（Ｂｘ７０）にグラニュ糖を加えて混合し完全に溶解させて、Ｂｘ７５のブラウンリカーを精製する（混合溶解工程）。なお、この混合溶解工程におけるグラニュ糖の添加量としては、ブラウンリカー８３重量％、グラニュ糖１７重量％となるように添加する。このように、混合溶解工程にて、例えばＢｘ７０のブラウンリカーにグラニュ糖を添加して濃度を調整するようにし、そしてＢｘ７５としたブラウンリカーに対してフラクトオリゴ糖（Ｂｘ７５）を添加してもよい。
【００５４】
以上のように、本実施の形態に係る高濃度蔗糖の製造方法では、蔗糖液糖の製造工程における炭酸飽充工程を経て精製したブラウンリカーに、固形分中の含有量が１０〜２０重量％となるようにフラクトオリゴ糖を含有させる。これにより、Ｂｘ７０以上の高濃度の蔗糖を含有した液糖であっても、蔗糖結晶の析出を抑制することができる。また、水分含有量を２７重量％以下とすることにより、微生物の繁殖も有効に阻止することができる。
【００５５】
なお、以上の高濃度蔗糖の製造工程では、Ｂｘ７５に濃縮されたブラウンリカーにフラクトオリゴ糖を添加するようにしたが、精製したブラウンリカーにフラクトシルトランスフェラーゼを含有する酵素剤を作用させてフラクトオリゴ糖を生成させることによって、高濃度蔗糖液糖にフラクトオリゴ糖を含有させるようにしてもよい。具体的に、ブラウンリカーにフラクトシルトランスフェラーゼを含有する酵素剤を作用させる高濃度蔗糖液糖の製造工程について、図３を参照にして説明する。
【００５６】
図３は、本実施の形態に係る高濃度蔗糖液糖の製造方法に関する第２の製造工程例を示す工程図である。なお、この第２の製造工程例も、Ｂｘ７５の高濃度蔗糖液糖を製造するものである。
【００５７】
図３に示されるように、上述した図２に示した製造工程と同様にして、洗糖工程（２−１）、炭酸飽充工程（２−２）及び濃縮工程（２−３）を経て、Ｂｘ７５のブラウンリカーを精製する。
【００５８】
そして次に、この混合溶解したブランリカーをオリゴ糖化反応槽に移し、ブラウンリカーに含まれる蔗糖の一部をフラクトオリゴ糖にする（２−４）。具体的にこのオリゴ糖化工程では、オリゴ糖化反応槽に移したブラウンリカーに、蔗糖１ｋｇに対して１Ｎの塩酸（ＨＣｌ）を２ｍｌ添加するとともに、蔗糖１ｋｇに対して２ＫＵのフラクトシルトランスフェラーゼを添加する。このようにして、フラクトシルトランスフェラーゼを蔗糖に作用させることで、フルクトースが１〜３個結合した１−ケストース、ニストースを主成分とするフラクトオリゴ糖を生成させる。このときの反応条件としては、例えば、ｐＨ５〜７、５５〜６０℃の温度条件で、４時間作用させる。
【００５９】
フラクトシルトランスフェラーゼを含有する酵素剤は、例えばオウレオバシディウム属（Aureobacidium・sp）の液体培養で得られた培養菌体から生産される酵素を用いることができる。なお、このオウレオバシディウム属の液体培養で得られた培養菌体を用いたフラクトオリゴ糖の製造方法等に関しては、特開昭６０−２７３９５号公報（特願昭５８−１３４６６１）、特開昭６１−１４６１９２号公報（特願昭５９−２６６９６３）、特開昭６０−４１４９７号公報（特願昭５８−１４８５８３）に記載されている。
【００６０】
このようにして、フラクトシルトランスフェラーゼを含有する酵素剤をＢｘ７５のブラウンリカーに作用させることによって、蔗糖の一部がフラクトオリゴ糖となり、フラクトオリゴ糖を含有した高濃度蔗糖液糖が精製される。なお、上記反応条件でフラクトシルトランスフェラーゼを含有する酵素剤を作用させて高濃度蔗糖液糖（Ｂｘ７５）を製造した場合の固形分中の成分組成としては、オリゴ糖１１．８重量％、ケストース１０．７重量％、ニストース１．１重量％、スクロース８３．５重量％、グルコース４．７重量％となる。
【００６１】
なお、この第２の製造工程例においても、第１の製造工程例と同様に、濃縮工程（２−３）にてブラウンリカーを例えばＢｘ７０に濃縮し、そのブラウンリカーに対してグラニュ糖等を混合溶解して、Ｂｘ７５となるように濃度を調整する混合溶解工程を経るようにしてもよい。
【００６２】
また、上述した第１及び第２の製造工程例は具体的な一例を示したものであり、またＢｘ７５の高濃度蔗糖液糖を製造するための製造工程例であり、これに限られるものではない。例えば、フラクトオリゴ糖の添加に際して適度な加温・攪拌を任意で行ってもよい。また、その他適宜反応条件等を添加物の添加量等に応じて変更させてもよいことは言うまでもない。
【００６３】
以上詳細に説明したように、本実施の形態に係る蔗糖液糖の製造方法では、２０〜２７重量％の水分と蔗糖を含む固形分とからなる蔗糖液糖の製造過程において、蔗糖含有溶液に、固形分中における含有量が１０〜２０重量％となるようにフラクトオリゴ糖を含有させる。より好ましくは、水分を２５〜２７重量％含有させ、フラクトオリゴ糖を固形分中の含有量が１３〜２０重量％となるように含有させる。
【００６４】
この本実施の形態に係る蔗糖液糖の製造方法によれば、蔗糖に含有される水分の水分活性が下がるので、微生物の繁殖を有効に阻止することができるとともに、水分量を下げて高濃度の蔗糖液糖を製造することができる。また、この高濃度蔗糖液糖の製造工程において、フラクトオリゴ糖を所定量含有させることで、蔗糖の結晶析出を有効に抑制することができ、安定した状態で高濃度蔗糖液糖を常温下で保存しておくことが可能となる。
【００６５】
また、本実施の形態に係る高濃度蔗糖の製造方法によって製造された、蔗糖結晶の析出がなく、長期間保存が可能な高濃度蔗糖を用いることによって、様々な食品、医薬品、医薬部外品等を調製することができる。
【００６６】
例えば、ビタミン・ミネラル飲料、乳飲料、乳酸菌飲料、乳製品、発酵乳、酸性飲料、中性飲料、コーヒー、紅茶、緑茶、乳清飲料、炭酸飲料、果実飲料、果汁飲料、ビール、カクテルやチューハイ等のアルコール飲料、栄養ドリンク等の健康飲料、スポーツドリンク、ヨーグルトドリンク等が例示できる。また、水溶性の原料から製造される食品、例えばパン、ビスケット、飴、ゼリー、プリン、ヨーグルト等のパン・菓子類、ソース、ドレッシング、液状甘味料製剤、シロップ、リキュールベース、ハム等の加工食品、カレー、シチュー、スープ等の食品等も挙げられる。さらに、医薬品組成物、例えば液剤、注射剤、点滴剤、シロップ剤、クリーム、軟膏、ローション等を製造することもできる。
【００６７】
さらに、上述のように、本実施の形態に係る高濃度蔗糖液糖の製造方法では、一般的な原料糖を用いて、炭酸飽充工程を経て精製したブラウンリカーにフラクトオリゴ糖を添加することによって製造する。または、蔗糖にフラクトシルトランスフェラーゼを含有する酵素剤を作用させることによってフラクトオリゴ糖を生成して含有させることによって製造する。このように、蔗糖液糖の製造方法の一工程中において所定量のフラクトオリゴ糖を含有させるだけで、蔗糖結晶の析出がなく、長期間保存が可能な高濃度蔗糖を製造することができるので、特別な設備や製造条件を用意することなく、簡易な処理で製造することができる。
【００６８】
またさらに、添加するフラクトオリゴ糖は、蔗糖にフラクトシルトランスフェラーゼを作用させることによって生成される少糖類であるので、蔗糖液糖の本来の風味や甘味を損なわせることなく、良質な蔗糖液糖を製造することができる。また、この高濃度蔗糖液糖は、フラクトオリゴ糖の多種多様な性質をも享受することができる。
【００６９】
なお、本発明は上述した実施の形態のみに限定されるものではなく、本発明の要旨を逸脱しない範囲において種々の変更が可能であることは勿論である。
【実施例】
【００７０】
以下、本発明の具体的な実施例について説明する。なお、下記のいずれかの実施例に本発明の範囲が限定されるものではない。
【００７１】
本実施例においては、濃度が７３重量％（表１）、７５重量％（表２）、８０重量％（表３）の蔗糖をそれぞれ含有する蔗糖液糖の製造工程において、下記の各表に示される配合量のフラクトオリゴ糖を添加し、製造された高濃度蔗糖液糖において蔗糖の結晶が析出されるまでの日数を調べた。表中におけるフラクトオリゴ糖含有量（重量％）とは、高濃度蔗糖液糖の固形分中における含有量を意味する。
【００７２】
なお、この実験においては、通常の蔗糖液糖の製造工程においてフラクトオリゴ糖を添加せずに精製した蔗糖液糖を対象にし、炭酸飽充工程を経て精製したブラウンリカーにフラクトオリゴ糖を表１〜３に示す各配合量で配合して精製した各高濃度蔗糖（サンプル）について調べた。精製した高濃度蔗糖液糖は、５００ｍｌ試験瓶に封入して常温で放置し、１日１回試験瓶を逆さにしたのちに戻す操作を行い、２分間蓋を開けて調べた。結晶析出の有無は肉眼判定により行い、下記の表１〜３において、『−』は結晶析出が認められなかったことを示し、『×』は結晶析出が認められたことを示す。また、蔗糖液糖のＢｘ値は、手持ち屈折糖質計（Ｎ３ 株式会社アタゴ製）で測定した。
【００７３】
【表１】
2010213580.tif 000003
【００７４】
表１に示す結果からわかるように、蔗糖濃度が７３重量％（Ｂｘ７３、水分濃度２７重量％）の高濃度蔗糖液糖（サンプル１〜６）において、フラクトオリゴ糖が添加されていないサンプル１では、２日目にして既に蔗糖の結晶が析出してしまった。これに対して、フラクトオリゴ糖を固形分中の含有量として１０重量％となるように添加させたサンプル２では、２０日目にわずかに蔗糖結晶の析出が確認されたが、フラクトオリゴ糖無添加のサンプル１に比して長期間安定的に保存できることが判明した。
【００７５】
また、フラクトオリゴ糖を固形分中の含有量として、それぞれ１３重量％、１５重量％、１７重量％、２０重量％となるように含有させたサンプル３〜６では、９０日目においても、７３重量％もの高濃度で含有された蔗糖の結晶析出は確認されず、長期間安定的に保存できることが判明した。
【００７６】
【表２】
2010213580.tif 000004
【００７７】
また、表２に示す結果からわかるように、蔗糖濃度が７５重量％（Ｂｘ７５、水分濃度２５重量％）の高濃度蔗糖液糖（サンプル７〜１２）において、フラクトオリゴ糖が添加されていないサンプル７では、２日目にして既に蔗糖の結晶が析出してしまった。これに対して、フラクトオリゴ糖を固形分中の含有量として１０重量％となるように添加させたサンプル８では、１７日目にわずかに蔗糖結晶の析出が確認されたが、フラクトオリゴ糖無添加のサンプル７に比して長期間安定的に保存できることがわかった。また、フラクトオリゴ糖を固形分中の含有量として１３重量％となるように添加させたサンプル９では、２７日目にわずかに蔗糖結晶の析出が確認されたが、サンプル８と比べても、蔗糖結晶の析出を抑制して、より長期間に亘って保存できることが判明した。
【００７８】
また、フラクトオリゴ糖を固形分中の含有量として、それぞれ１５重量％、１７重量％、２０重量％となるように含有させたサンプル１０〜１２では、９０日目においても、７５重量％もの高濃度で含有された蔗糖の結晶析出は確認されず、長期間安定的に保存できることが判明した。
【００７９】
【表３】
2010213580.tif 000005
【００８０】
また、表３に示す結果からわかるように、蔗糖濃度が８０重量％（Ｂｘ８０、水分濃度２０重量％）の高濃度蔗糖液糖（サンプル１３〜１８）において、フラクトオリゴ糖が添加されていないサンプル１３では、２日目にして既に蔗糖の結晶が析出してしまった。
【００８１】
これに対して、フラクトオリゴ糖を固形分中の含有量として１０重量％となるように添加させたサンプル１４、１３重量％となるように添加させたサンプル１５では、４日目にしてわずかに蔗糖の結晶が析出されたが、フラクトオリゴ糖無添加のサンプル１３に比べて、高濃度に含有された蔗糖の結晶析出を抑制できることが判明した。
【００８２】
また、フラクトオリゴ糖を固形分中の含有量として１５重量％となるように添加させたサンプル１６では５日目にわずかに蔗糖結晶の析出が確認され、１７重量％となるように添加させたサンプル１７では７日目にわずかに蔗糖結晶の析出が確認され、２０重量％となるように添加させたサンプル１８では２１日目にわずかに蔗糖結晶の析出が確認された。このように、蔗糖濃度８０重量％の高濃度蔗糖において、フラクトオリゴ糖の固形分中での含有量を増加させていくことによって、蔗糖結晶を析出させず、長期間良質な状態で保存できる高濃度蔗糖液糖を製造できることが判明した。
【図１】
2010213580.tif 000006
【図２】
2010213580.tif 000007
【図３】
2010213580.tif 000008